(57)【要約】【課題】人間関係等に悪影響をもたらす記念日のうっかり忘れを防止することを目的とする。従来から記念日の到来を一方的にメールで通知するサービスはあったが、朝１回メールが来ただけでは見落としたり、その後仕事に没頭し夜１２時を過ぎてしまう場合もあり、うっかり忘れの多い人も安心できる仕組みが必要であった。【解決手段】  記念日当日に利用者が次のリマインドは不要との返信を行うまで、繰り返しメールを発信する。利用者が実際にお祝い等を相手に伝えるまでリマインドが反復する為、メールの受信を携帯電話などで行うことにより、うっかり忘れが多い人についても記念日を忘れる可能性を大幅に低減できる。  また従来の一方向の通知でなくインタラクティブ型とし、都度リマインドの要否の判断を利用者に促す事で、リマインド効果を高める画期的、抜本的な解決手段を提供する。【選択図】  図３
2006172405.tif 000002
【特許請求の範囲】
【請求項１】
記念日についての記念日データを登録するための表示画面を作成する登録用表示データ作成手段と、登録された前記記念日データを記憶するデータ記憶手段と、現在の日時を提供する時計手段と、メール文書データを作成するデータ作成手段と、前記メール文書データを送信するデータ送信手段と、メールの受信によりまたはインターネット上のページを経由してデータを受信するデータ受信手段と、受信したデータを記憶するデータ記憶手段とを有するサーバー側情報処理装置と、前記メール文書データを受信するデータ受信手段と、受信した前記メール文書データを表示する受信データ表示手段と、メール送信またはインターネット上のページを操作することによってデータを送信するデータ送信装置とを有するクライアント側情報処理装置からなる記念日のリマインダーシステム。
【請求項２】
クライアント側情報処理装置は、記念日データおよびリマインド不要を表わすデータを送信するデータ送信手段を有し、サーバー側情報処理装置は前記記念日データおよびリマインド不要を表すデータを受信するデータ受信手段を有する請求項１記載の記念日のリマインダーシステム。
【請求項３】
サーバー側情報処理装置は、登録された記念日よりも前の日に設定した所定日時に、クライアント側情報処理装置にメール文書データを送信することによって記念日の接近を通知することを特徴とする請求項１記載の記念日のリマインダーシステム。
【請求項４】
サーバー側情報処理装置は、登録された記念日の当日の所定時刻に、クライアント側情報処理装置にメール文書データをまず１回送信し、その後クライアント側情報処理装置からリマインド不要を表すデータを受信するまでクライアント側情報装置にメール文書データを当日の所定の複数の時刻に繰り返し送信し、クライアント側情報処理装置からリマインド不要を表すデータを受信した後はクライアント側情報装置へのメール文書データの送信を停止することによって、クライアント側情報装置からリマインド不要を表すデータが送信されるまで記念日の到来を複数回通知することを特徴とする請求項３記載の記念日のリマインダーシステム。
【請求項５】
サーバー側情報処理装置は、記念日当日にクライアント側情報装置に送信するメール文書データに、そのメール文書を特定するための文字列データをメールタイトルまたはメール本文に記載するか、またはクライアント側情報端末装置がサーバー側情報端末装置にリマインド不要を表すデータを送信するためのＵＲＬデータを記載することによって、クライアント側情報端末装置からのリマインド不要を表すデータの送信を容易にすることを特徴とする請求項３記載の記念日のリマインダーシステム。
【請求項６】
クライアント側情報処理装置は、サーバー側情報処理装置より送信されたメール文書データを受信表示し、そのメール文書に対してメールで返信をするか、またはメール文書に記載されたＵＲＬデータからインターネット上のページを表示し更に操作することによって、リマインド不要を表すデータをサーバー側情報処理装置に送信することを特徴とする請求項２の記念日のリマインダーシステム。
【発明の詳細な説明】
【技術分野】
【０００１】  本発明は、予め登録された記念日の何日か前および記念日当日にリマインドメールが自動発信され、当日はリマインドメールが複数回繰り返し自動発信され、リマインドを受けた側が次回のリマインドが不要の場合にはリマインド不要の回答をすることによって次回以降の自動発信が停止する様にした情報処理装置に関するものである。
【背景技術】
【０００２】  従来、記念日を忘れない様に手帳や予定表に記念日を記入し役立てていた。またはアラーム機能を持つ電子スケジューラ等も一部利用されていた。【０００３】  また、ｈｔｔｐ：／／ｗｗｗ．ｗａｓｕｒｅｎａｉｄｅ．ｃｏｍの様に１年の特定の日にリマインドのメールを送信するサービスや、特開２００１−１０１０９８の情報処理装置のように予定日にお祝いのメールを相手に自動送信する移動局（携帯電話）、また特開２００３−３３１１８１の記念日のリマインダーシステムのようにリマインドのメールに記念日のギフトの購入先を記載し購買を促すものもあった。
【発明の開示】
【発明が解決しようとする課題】
【０００４】  特に現代の若い世代では、結婚記念日や配偶者または交際相手の誕生日をうっかり忘れると、大変に気まずいだけでなく、愛情や誠意を疑われ、場合により人間関係にも影響を与えかねず、またもし忘れた場合は汚名挽回のチャンスが１年先になる為、たとえ１０年に１回であってもうっかり記念日を忘れることはあってはならない、何としても避けたい極めて現実的かつ切実な問題である。【０００５】  しかしながら特に多忙な現代のビジネスマンにおいては、そうでなくても単に忘れっぽい人である場合も、従来の技術では対策をしていてもうっかり記念日であることを忘れてしまう場合があった。【０００６】  即ち、手帳や電子スケジューラーの場合、多くは仕事の予定を見ることが目的となっている為、記念日が仕事の休日にあたっている場合には、肝心の記念日当日に手帳や電子スケジューラー自体を見忘れる心配があった。【０００７】  また従来のメールによるリマインドサービスでは、メールが記念日の数日前と当日の朝とに届いていても、昼に仕事上のアクシデントが生じたり、夜に集中して仕事をしていてうっかり夜１２時を回り記念日を逃してしまう心配があった。【０００８】  また従来のメールによるリマインドサービスの本質的な課題として、利用者が受動的にメールを受け取るだけの一方向性の情報伝達によっており、利用者の判断や行動が要求されるインタラクティブな仕組みでない事から、利用者の意識に作用する効果が限定的なケースがあり、特に忙しい人や忘れっぽい人を対象としても完全に近い安心感が得られるものではなかった。【０００９】  本発明は、メールを送信して記念日の数日前と当日にリマインドするだけでなく、記念日の当日には複数回繰り返しメールが送信され、これをメール機能をもつ携帯電話を含めた各種メール端末で受信することで、記念日を忘れる懸念を大きく低減しようというものである。【００１０】  また記念の夕食が始まるなり、帰宅してお祝いや感謝の気持ちを伝えるなりすれば、リマインドメールの繰り返し送信は寧ろお祝いの場の妨げになるので、リマインド不要と判断した時点でリマインド不要のメールを送信するかインターネット上のページでリマインド不要の入力をするとリマインドメールの送信が止まる機能も併せて提供するものである。【００１１】  また、本発明の特徴として、従来のメールによるリマインドサービスの様に一方向の通知と異なり、リマインドメールの送信を止める入力を利用者の判断と操作で行うインタラクティブ型のシステムであることから、利用者は当日のメールを受信するたびに次回のリマインドメールの要否を判断するように促され、またリマインドメールを止める入力も利用者自身が忘れないように心に決めてから行うため、利用者の意識に対し記念日当日であることを植え付ける作用があり、結果的にリマインドの効果が大幅に継続するものである。【００１２】  さらに、リマインドメールの送信を止める入力をする際に、一定の文字列（今日は結婚記念日だ、等）を利用者が１０回入力しなければリマインドメールの送信が止まらないようにするなどの方法を付加すれば、さらにリマインドの効果を持続させることも可能である。
【課題を解決するための手段】
【００１３】  そこで、前記課題を解決する為に本発明は、記念日についての記念日データを登録するための表示画面を作成する登録用表示データ作成手段と、登録された前記記念日データを記憶するデータ記憶手段と、現在の日時を提供する時計手段と、メール文書データを作成するデータ作成手段と、前記メール文書データを送信するデータ送信手段と、メールの受信によりまたはインターネット上のページを経由してデータを受信するデータ受信手段と、受信したデータを記憶するデータ記憶手段とを有するサーバー側情報処理装置と、前記メール文書データを受信するデータ受信手段と、受信した前記メール文書データを表示する受信データ表示手段と、メール送信またはインターネット上のページを操作することによってデータを送信するデータ送信装置とを有するクライアント側情報処理装置からなる記念日のリマインダーシステムを構築する。【００１４】  サーバー側情報処理装置は、登録された記念日よりも前の日に設定した所定日時に、クライアント側情報処理装置にメール文書データを送信することによって記念日の接近を通知する。【００１５】  サーバー側情報処理装置は、登録された記念日の当日の所定時刻に、クライアント側情報処理装置にメール文書データをまず１回送信し、その後クライアント側情報処理装置からリマインド不要を表すデータを受信するまでクライアント側情報装置にメール文書データを当日の所定の複数の時刻に繰り返し送信するが、クライアント側情報処理装置からリマインド不要を表すデータを受信した後はクライアント側情報装置へのメール文書データの送信を停止することによって、記念日をうっかり忘れる懸念を大幅に低減するサービスを提供する。
【発明の効果】
【００１６】  以上説明したように、本発明によるリマインダーシステムは、記念日以前の日や記念日当日に１回だけリマインドを受ける従来の技術と異なり、利用者が帰宅するか、お祝いの場に行くか、お祝いの電話をかけるなどの具体的行動を起こすまでリマインドを継続し、リマインドの効果を大きく高めることができる。
また単に受動的にメールで通知を受ける従来の方法と異なり、リマインドを受けるたびに利用者自信が、今リマインドを停止して本当に大丈夫かを判断し、心に決めてからリマインドの停止手続きの行動を起こすことによって、利用者の意識への影響を高め、リマインドの効果も大幅に継続させることができるものである。
【発明を実施するための最良の形態】
【００１７】  以下、本発明の実施の形態を図面に基づき詳細に説明する。【００１８】    図１は、本発明の実施の形態における記念日のリマインダーシステムのシステム構成図、図２はデータ登録画面を示す図、図３は処理フローを示す図、図４は記念日の事前通知のメール文書データを示す図、図５は記念日当日のメール文書データを示す図、図６はリマインド不要の情報を送信する画面を示す図である。【００１９】  図１において１００はサーバー側装置であり、１１０はクライアント側装置である。【００２０】  １０１はデータ登録用のＷＥＢ画面表示データを作成する登録用表示データ作成手段、１０２は作成した表示データをクライアント側装置１１０に送信し、データを受信する第１データ送受信手段、１０３はクライアント側装置１１０から第１データ送受信手段１０２を介して入手した登録データおよびリマインド不要を表すデータを記憶するデータ記憶手段、１０４は現在の時刻を計測し設定時間になっていれば知らせる時計手段、１０５は記念日を知らせるデータ作成手段である。また１１１はサーバ側装置１００とのデータの送受信を行う第２データ送受信手段、１１２は受信したデータを表示する受信データ表示手段、１１３は登録したいデータを作成する送信データ作成手段である。【００２１】  図２は、データ登録画面の一例で、登録される内容は、記念日の年月日、内容、通知希望日、時間、通知先メールアドレス、リマインド不要の連絡をしたらリマインドメールの送信を止めるか否か、である。データ登録画面はサーバー側装置１００の登録用表示データ表示手段１０１により作成され、第１データ送受信手段１０２によりクライアント側装置１１０に送られ、クライアント側装置１１０は第２データ送受信手段１１１で受信し、受信データ表示手段１１２に表示される。【００２２】  以上の様に構成された本発明の実施の形態における記念日のリマインダーシステムについて、その処理フローについて説明する。【００２３】  図３の処理フローにおいて、Ｓ１で、利用者はクライアント側装置１１０より、送信データ作成手段１１３で図２に示したような登録したい記念日データをデータ登録画面で記入したのち、「設定内容で送信」のボタンを押して第２データ送受信手段１１１にデータを送信する。【００２４】  Ｓ２で、サーバー側装置１００は送信された記念日データを第１データ送受信手段１０２で受信しデータ記憶手段１０３に記憶する。【００２５】  Ｓ３で、記念日データと通知希望日のデータから今後の通知希望日時を計算し、データ記憶手段１０３に記憶する。【００２６】  Ｓ４で、毎日決まった時刻に時計手段１０４で日時を取得する。【００２７】  Ｓ５で時計手段１０４で記念日の事前通知希望日になったか判定する。【００２８】  事前通知希望日であった場合、Ｓ６でデータ記憶手段１０３に記憶しているデータを元に、データ作成手段１０５により、図４に示す様なメール文書データを生成する。【００２９】  Ｓ７で、サーバー側装置１００は、第１データ送受信手段１０２により、メール文書データを登録されたクライアント側装置１１０のメールアドレスに送信し、クライアント側装置１１０は、第２データ送受信手段１１１でメール文書デー��を受信し、受信データ表示手段１１２に表示する。【００３０】  Ｓ５で事前通知日希望日でなかった場合、Ｓ８で時計手段１０４で記念日当日であるか判定する。【００３１】  Ｓ８で記念日当日であった場合、Ｓ９でデータ記憶手段１０３に記憶しているデータを元に、データ作成手段１０５により、図５に示す様なリマインドメールのメール文書データを生成する。メール文書には、利用者がリマインド不要の情報をサーバー側装置１００に送信できる様に、メールタイトル中に利用者とこのメールを特定する文字列を含ませておくか、メール本文中にリマインド不要の連絡を入力するＵＲＬを含ませておく。【００３２】  Ｓ１０で、サーバー側装置１００は、第１データ送受信手段１０２により、メール文書データを登録されたクライアント側装置１１０のメールアドレスに送信する。【００３３】  Ｓ１１で、クライアント側装置１１０は、第２データ送受信手段１１１でメール文書データを受信し、受信データ表示手段１１２に表示する。【００３４】  Ｓ１２で、利用者はリマインドメールの再送を止めたいかどうか判断する。【００３５】  利用者は再送を止めたくない場合は何もしなくて良いが、再送を止めたい場合は、Ｓ１４でリマインドメールに対しメールでメールのタイトルを変えずにそのまま返信し第２データ送受信手段１１１によって送信するか、リマインドメール文書データに記載されたＵＲＬにアクセスすることによりサーバー側装置１００が送信する図６に示すようなページにおいて「次回以降のリマインド不要」のボタンを押すことによって、サーバー側装置１００に対してリマインド不要の情報を送信する。【００３６】  またリマインドの効果を継続させる方法として、前記図６のページを変更しＳ１４で一定の文字列（今日は結婚記念日だ、等）を利用者が１０回入力しなければリマインドメールの送信が止まらないようにすることや、Ｓ１４で利用者が送信するメールの本文に同様の文字列を記載しなければリマインドメールの送信が止まらないようにするなどの方法を付加することにより、さらにリマインドの効果を高めることも可能である。【００３７】  Ｓ１５で、サーバー側装置１００は、Ｓ１４でのクライアント側装置１１０が送信したメールまたは図６に示す様なページに対する回答によるリマインド不要の情報を第１データ送受信手段１０２によって受信する。【００３８】  Ｓ１６で、Ｓ１５でクライアント側装置１１０からリマインド不要の情報を受信したことをデータ記憶手段１０３に記憶する。【００３９】  Ｓ１７で、時計手段１０４により１０分間隔または１時間間隔などの一定時間おきに時刻を取得する。【００４０】  Ｓ１８で、時計手段１０４でリマインド希望時間が到来したか判定する。【００４１】  Ｓ１９で、データ記憶手段１０３にリマインド不要の情報が記憶されているか判断し、記憶されていればＳ２１により処理を終了し、記憶されていなければＳ９により再度リマインドのメール文書データが生成されＳ１０により送信される。【００４２】  Ｓ２０で、データ記憶手段１０３に次回のリマインド希望時間が設定されているかを判断し、設定されていない場合はＳ２１で処理を終了する。
【図面の簡単な説明】
【００４３】
【図１】本発明の実施の形態における記念日のリマインダーシステムのシステム構成図
【図２】データ登録画面を示す図
【図３】処理フローを示す図
【図４】記念日の事前通知のメール文書データを示す図
【図５】記念日当日のメール文書データを示す図
【図６】リマインド不要の情報を送信する画面を示す図
【図１】
2006172405.tif 000003
【図２】
2006172405.tif 000004
【図３】
2006172405.tif 000005
【図４】
2006172405.tif 000006
【図５】
2006172405.tif 000007
【図６】
2006172405.tif 000008